(57)【要約】  【課題】  旅行の準備を行うに際して最適な動線を有し、同時に旅行準備を行うための専用の居室として旅行準備室を備え、さらに旅行から帰宅後に土産品を飾ったり、旅行用品の手入れ等をするために十分なスペースを有した住宅の提供。  【解決手段】  旅行準備を行うための旅行準備室を備えた住宅において、該旅行準備室を、旅行用品を収納するための収納スペースを有する納戸に隣接して配置し、該納戸は、上がりホール部分と土間部分から構成し、該旅行準備室を、該上がりホール部分と連通させ、且つ、該土間部分を、玄関土間または屋外空間と連通させる。  【選択図】  図１
2005344297.tif 000002
【特許請求の範囲】
【請求項１】
旅行準備を行うための旅行準備室を備えた住宅であって、
該旅行準備室は、旅行用品を収納するための収納スペースを有する納戸に隣接して配置され、
該納戸は、上がりホール部分と土間部分から構成され、
該旅行準備室を、該上がりホール部分と連通させ、且つ、該土間部分を、玄関土間または屋外空間と連通させたことを特徴とする住宅。
【請求項２】
旅行準備室が、納戸を除く他の一以上の居室と隣接して配置され、
該旅行準備室を、該居室と連通させたことを特徴とする請求項１記載の住宅。
【請求項３】
納戸の土間部分に隣接して、旅行用品の手入れを行うための中庭が配置され、
該土間部分を、該中庭と連通させたことを特徴とする請求項１乃至２の何れかに記載の住宅。
【請求項４】
玄関土間から連続する玄関ホールに、旅行先での土産品や写真を飾るための棚が設けられたことを特徴とする請求項１乃至３の何れかに記載の住宅。
【請求項５】
玄関土間が、旅行先での土産品や写真を飾るための棚が設けられたギャラリーとして構成されたことを特徴とする請求項１乃至４の何れかに記載の住宅。
【請求項６】
ギャラリーに隣接して、旅行用品の手入れを行うためのピロティを配置し、
該ギャラリーを、該ピロティと連通させたことを特徴とする請求項５記載の住宅。
【発明の詳細な説明】
【技術分野】
【０００１】
本発明は、旅行準備を行うための旅行準備室を備えた住宅に関する。
【背景技術】
【０００２】
近年、余暇の過ごし方の一つとして、旅行に出かけることが一般化している。また、子供が巣立って夫婦二人暮らしとなった中高年齢層が、新たな趣味として、旅行にしばしば出かけるといった状況も多く見受けられる。
このような状況にありながら、旅行を生活の一部としてとらえ準備から思い出品の展示・回想まで、旅行を生活に密着化させることをテーマとして住宅を構成したものは、これまでに無かった。従って、旅行を趣味とし、頻繁に旅行に出かける者であっても、上記テーマが考慮されていない従来の形式の住宅を利用する他なかった。
一方で、居住者の趣味に対応し、特定の用途に特化して住宅を構成したものとして、美術家仕様の住宅に係る特許文献１がある。
【０００３】
【特許文献１】特開２００１−１６４７６５
【発明の開示】
【発明が解決しようとする課題】
【０００４】
しかしながら、従来の形式の住宅によれば、以下の問題があった。
すなわち第一に、旅行の準備を行うに際しての住宅内における動線の問題である。従来の形式の住宅では、衣類や旅行用品の収納場所が住宅内に分散されているため、集めてくるのが面倒であった。また、旅行の情報収集や予約にインターネットを使うことが増加しているが、パソコン置き場と旅行ガイドブック等の置き場所が近接しているとは限らず、動線が長くなってしまうことがあった。さらに、旅行の準備は寝室で行うことが多いが、準備を終えたスーツケース等を玄関土間におろすのが面倒であった。
第二に、旅行の準備を行うための住宅内におけるスペースの問題である。従来の形式の住宅には、旅行準備を主用途とした居室を有するものはなく、荷物や旅行関連文献等を広げておくスペース、あるいは普段は使用しない旅行用品を収納しておくスペースが不足していた。
第三に、旅行から帰宅した後の問題である。旅行を趣味とする者は、旅行先で購入した土産品や記念撮影した写真等を飾ったり、旅行用品をゆっくり手入れしたりするための十分なスペースを住宅内に欲するものであるが、従来の形式の住宅においては、そのようなスペースは不足していた。
また、特許文献１によっても、旅行を趣味とする者が住宅に対して抱える上記問題を解決することはできない。
【０００５】
本発明は、上記問題に鑑みてなされたものであり、旅行の準備を行うに際して最適な動線を有し、同時に旅行準備を行うための専用の居室として旅行準備室を備え、さらに旅行から帰宅後に土産品を飾ったり、旅行用品の手入れ等をするために十分なスペースを有した住宅を提供するものである。
【課題を解決するための手段】
【０００６】
上記の課題を解決するために、請求項１記載の住宅は、旅行準備を行うための旅行準備室を備えた住宅であって、該旅行準備室は、旅行用品を収納するための収納スペースを有する納戸に隣接して配置され、該納戸は、上がりホール部分と土間部分から構成され、該旅行準備室を、該上がりホール部分と連通させ、且つ、該土間部分を、玄関土間または屋外空間と連通させたことを要旨とする。
【０００７】
また、請求項２記載の住宅は、請求項１記載の構成において、旅行準備室が、納戸を除く他の一以上の居室と隣接して配置され、該旅行準備室を、該居室と連通させたことを要旨とする。
【０００８】
また、請求項３記載の住宅は、請求項１乃至２の何れかに記載の構成において、納戸の土間部分に隣接して、旅行用品の手入れを行うための中庭が配置され、該土間部分を、該中庭と連通させたことを要旨とする。
【０００９】
また、請求項４記載の住宅は、請求項１乃至３の何れかに記載の構成において、玄関土間から連続する玄関ホールに、旅行先での土産品や写真を飾るための棚が設けられたことを要旨とする。
【００１０】
また、請求項５記載の住宅は、請求項１乃至４の何れかに記載の構成において、玄関土間が、旅行先での土産品や写真を飾るための棚が設けられたギャラリーとして構成されたことを要旨とする。
【００１１】
また、請求項６記載の住宅は、請求項５記載の構成において、ギャラリーに隣接して、旅行用品の手入れを行うためのピロティを配置し、該ギャラリーを、該ピロティと連通させたことを要旨とする。
【発明の効果】
【００１２】
本発明に係る住宅によれば、旅行準備を行うための旅行準備室、及び旅行用品を収納するための収納スペースを有する納戸が備えられたものであるため、旅行準備室を、荷物や旅行関連文献を広げて旅行の準備を行うために利用でき、納戸には、普段使用しない旅行用品を収納しておくことが可能となる。
【００１３】
また、本発明に係る住宅によれば、旅行準備室が納戸に隣接して配置され、旅行準備室が納戸の上がりホール部分と連通し、且つ、納戸の土間部分と玄関土間または屋外空間とが連通して構成されるため、旅行の準備を行う際の動線が短縮されると同時に、準備を終えたスーツケース等を玄関土間に運ぶのが非常にスムーズに行える。
さらに、旅行準備室が、納戸の他に、寝室、リビング等の他の居室と隣接して配置され、旅行準備室が該居室と連通して構成されるため、住宅内に分散して収納された衣類や旅行携帯品等を集める際の動線が短縮される。
【００１４】
また、本発明に係る住宅によれば、玄関土間に連続する玄関ホール、あるいはギャラリーとして構成した玄関土間に、土産品や写真を飾ることが可能な棚が設けられるため、旅行から帰宅した後に、旅行先での土産品等を展示して楽しむことが可能となる。
さらに、納戸の土間部分と連通して中庭が配置され、あるいはギャラリーと連通してピロティが配置されるため、旅行用品の手入れ等をするために有効なスペースを提供することが可能となる。
【発明を実施するための最良の形態】
【００１５】
本発明に係る住宅は、旅行準備を行うための旅行準備室を備えた住宅である。「旅行準備」とは、旅行に出発するに先立って行う種々の準備作業、例えば、荷造りのために衣類や携行品等の荷物を広げたり、旅行に関する情報を本やパンフレット、カタログ、インターネット等によって収集すること等をいう他に、旅行から帰宅した後に行う種々の片付等の作業、例えば、衣類や携行品等を住宅内の所定の位置に戻すために荷物を広げたり、土産品を広げて仕分けしたりすること等をもいうものとする。
旅行準備室の大きさ、形状、付属設備等は、目的とされる「旅行準備」の態様に応じて適宜設計可能なものである。例えば、旅行準備室の床を、衣類を直接広げておけるように畳敷きとしたり、パソコンを載置可能な作り付けの机を設けたり、インターネット接続可能な設備を設けること等ができる。
【００１６】
本発明において、旅行準備室は、納戸に隣接して配置される。納戸は、普段は使用しない旅行用品、例えば、スーツケース、旅行にのみ使用する衣類・靴、ゴルフ用品、スキー用品等を収納するための収納スペースを有するものである。そのような収納スペースとしては、収納棚や押入れ等を設けることとしてもよい。
納戸は、土間部分、及び土間部分から一段上がった上がりホール部分から構成され、土間部分と上がりホール部分とは、互いに行き来自在に並置されるものとする。
上がりホール部分は、旅行準備室と連通させるとともに、土間部分は、玄関土間と連通させる。土間部分は、玄関土間を介することなく、屋外空間と直接連通させてもよい。すなわち本発明は、旅行準備室を、納戸を挟んで間接的に（玄関土間を介して）または直接的に（玄関土間を介さずに）屋外空間と連通させるものである。
【００１７】
旅行準備室は、旅行準備のために住宅内の種々の場所に分散して収納される物品（衣類等）を持って出入りする必要がある。従って、動線を短縮して利便性を向上させるためには、旅行準備室を、住宅内における納戸を除く他の一以上の居室、例えば、寝室、リビング（リビングダイニング）、キッチン等と隣接して配置し、互いに行き来可能とすることが好ましい。その際に、旅行準備室と納戸の上がりホール部分、及び旅行準備室と納戸以外の居室とを、それぞれ同じ床高さで接続することとすれば、動線が一層スムーズになる。
【００１８】
玄関土間から連続する玄関ホールには、旅行から帰宅した後に、旅行先での土産品や写真を飾るための棚を設けることが好ましい。また、玄関土間を、ギャラリーとして十分な広さに構成し、旅行先での土産品や写真を飾るための棚を設けることとしてもよい。棚は、平板状の棚板を壁面に沿って複数段設けて構成する他、土産品や写真を飾ることができるものであれば、どのような形状でもよい。
玄関ホールやギャラリーには、展示された土産品や写真を眺めながら、お茶を飲んだり休憩したりできるように、テーブルや椅子を設置可能なスペースを設けることとしてもよい。
【００１９】
本発明に係る住宅は、住宅内の各居室から旅行準備室への動線を一層単純にしたい場合や高齢者向けの住宅として提供する場合等には、階段及び上階に居室を有しない平屋建てとすることが好ましいが、平屋建てに限定されるものではなく２階建て以上としてもよい。
【実施例１】
【００２０】
本発明の第１の実施例を図１を参照しながら説明する。図１は本実施例に係る平面図である。
本実施例に係る住宅は平屋建てで、図１に示すように、住宅内に旅行準備室（１）及び納戸（２）が配置されたものであり、特に玄関土間をギャラリー（５ａ）として構成したものである。
【００２１】
旅行準備室（１）は、納戸（２）、寝室（１０）、及びリビング（８ａ）に隣接して設けられ、納戸（２）は玄関土間を兼用するギャラリー（５ａ）と連通して配置されている。納戸（２）は、上がりホール部分（３）と土間部分（４）とから構成されている。玄関土間を兼用するギャラリー（５ａ）から一段上がった玄関ホール（６）は、リビング（８ａ）と連通している。さらに、リビング（８ａ）に連続して、ダイニング（８ｂ）、キッチン（９）、及び旅行関連の書籍や資料を収納可能なライブラリー（１５）が設けられている。
【００２２】
本実施例では、玄関土間を、通常有する機能を超えて、旅先での土産品や写真を飾るためのギャラリー（５ａ）として使用するために、十分な広さをもって構成したものである。
ギャラリー（５ａ）には、土産品等を展示可能な棚（３４）が設けられ、さらに少人数でギャラリーの展示物を眺めながら、お茶をしたり、土産話を語ることができるように、机（３５）と椅子（３６）が設置されている。ギャラリー（５ａ）には、土産品に限らず、趣味の品等を展示することとしてもよい。
また、ギャラリー（５ａ）に隣接して、玄関正面とは反対側に、半屋外空間たるピロティ（１６）が形成され、ピロティ（１６）とギャラリー（５ａ）は、折れ戸（２９）を介して行き来自在とされている。
【００２３】
以上、本実施例によれば、旅行準備室（１）が寝室（１０）、及びリビング（８ａ）と、行き来自在に隣接して配置されているため、旅行準備のための動線が非常に短くて済む。リビング（８ａ）の一角にはライブラリー（１５）が配置され、旅行関係の書籍をストックしておくことができるため、旅行準備室（１）でパソコンを使用しているとき等に当該書籍を参照したいときに便利である。さらに、ダイニング（８ｂ）やキッチン（９）も、建具を介さずにリビング（８ａ）と連続して配置されているため、旅行準備室（１）への動線が単純となり好ましい。
【００２４】
また、玄関土間をギャラリー（５ａ）として構成したため、旅先での土産品や写真を飾ることができるとともに、少人数で展示品を眺めながら、お茶をしたり、土産話を語ることができ、快適なスペースを提供することが可能となる。
さらに、ギャラリー（５ａ）に隣接し、納戸（２）にも近接した位置に、ピロティ（１６）が配置されているため、納戸（２）からアウトドア用品等を引っ張り出してピロティ（１６）で手入れ等することが容易にできる。ピロティ（１６）は、屋根つきの半屋外スペースであるため、雨降りや日差しの強い日であっても手入れ等を行うことが可能となる。
【実施例２】
【００２５】
本発明の第２の実施例を図２を参照しながら説明する。図２は本実施例に係る平面図である。
本実施例に係る住宅は平屋建てであり、図２に示すように、住宅内に旅行準備室（１）及び納戸（２）が配置されたものである。
【００２６】
旅行準備室（１）は、納戸（２）及びリビングダイニング（８）に隣接して設けられ、納戸（２）は玄関土間（５）と連通して配置されている。
納戸（２）は、上がりホール部分（３）と土間部分（４）から構成されており、上がりホール部分（３）は土間部分（４）より一段高くなっている。そして、上がりホール部分（３）が旅行準備室（１）と、土間部分（４）が玄関土間（５）と、それぞれ同じ高さで接続されている。
また、玄関土間（５）から一段上がった玄関ホール（６）は、リビングダイニング（８）と連通し、さらに玄関ホール（６）から延設される廊下（７）を介して、キッチン（９）、主寝室（１０）、寝室（１２）、洗面所（１３）等と連通している。
【００２７】
旅行準備室（１）は、床の上に直接、衣類等を広げることができるように畳敷きとされ、約６帖の広さを有している。部屋の一角には作り付けの机（３０）が造設されており、机（３０）の下部は掘り込みで、脚をおとして座ることができるようになっている。机（３０）は、パソコンを置いた状態で、さらにガイドブックやパンフレット等を広げることができるように、十分な広さを有するものとなっている。机（３０）に近接した場所には、インターネット接続を可能とする設備が設けられている。
旅行準備室（１）は、引戸（２０）（２３）を介して、納戸の上がりホール部分（３）及びリビングダイニング（８）とそれぞれ自由に行き来可能とされている。
なお、旅行準備室（１）は、旅行準備のために使用しないときには、来客用の寝室等として活用することとしてもよい。
【００２８】
納戸の上がりホール部分（３）は１．５帖の広さを有し、壁面に沿って作り付けの収納棚（３１）が造設されており、スーツケースの収納及びスーツケースを広げての荷造りのためのスペースとして使用することができるようになっている。収納棚（３１）には、スーツケースをはじめとして、旅行にしか使わない服など他の旅行用品を収納することもできる。
【００２９】
納戸の土間部分（４）は１．５帖の広さを有しており、収納棚（３２）が列置されて、旅行用品（旅行にしか使わない靴など）を収納できるようになっている。
土間部分（４）は、引戸（２１）（２２）を介して、上がりホール部分（３）および玄関土間（５）とそれぞれ連通しているため、上がりホール部分（３）で荷造りして準備したスーツケースを、そのまま土間部分（４）におろすことができ、さらに、土間部分（４）におろしておいたスーツケースは、旅行出発のときには、玄関土間（５）の側から運び出すことができる。
なお、土間部分（４）は、スキー、釣り、ゴルフ等の道具を保管する場所として使用してもよい。
【００３０】
納戸（２）の上がりホール部分（３）に造設される収納棚（３１）について、図５に基づいてさらに説明する。収納棚（３１）は、図５（ａ）〜（ｃ）に示すように、固定天板部（５０）、可動天板部（５１）、及び収納ワゴン（５２）２台によって構成される。固定天板部（５０）と可動天板部（５１）は、可動天板部（５１）を折り畳み自在とする金具（５４）によって接続されている。そして、収納ワゴン（５２）にスーツケース（５７）等を収納した状態で、固定天板部（５０）と可動天板部（５１）とによって形成される内部空間（５６）に、収納ワゴン（５２）２台を収納できるようになっている。収納ワゴン（５２）の底面には各４個のキャスター（５３）が設けられており、可動天板部（５１）を広げて、収納ワゴン（５２）を楽に引っ張り出すことができるようになっている。
スーツケース（５７）を広げて荷造りを行う際には、固定天板部（５０）と可動天板部（５１）とを一体となった荷造り用のテーブルとして使用することができるようになっている。すなわち、図５（ｂ）（ｃ）に示すように、可動天板部（５１）を広げ、その下部を収納ワゴン（５２）で支持することによって可動天板部（５１）を水平に保持することができる。可動天板部（５１）の裏面には、高さ調節のための木桟（５５）が設けられている。
収納ワゴン（５２）は、スーツケース（５７）を収納できる大きさとし、さらに、固定天板部（５０）、可動天板部（５１）は、可動天板部（５１）を広げて荷造り用のテーブルを形成したときに、図５（ｃ）に示すように、大型のスーツケースを２個開けっ放しで載置できる大きさとする。これらの寸法については、スーツケースの飛行機機内への持込可能大きさを参考に決定することができる。例えば、1つの収納ワゴンに飛行機機内持込サイズのスーツケース２個、あるいは機内持込不可の大型スーツケース1個を収納できるようにワゴンサイズを決定することができる。本実施例では、収納ワゴン（５２）の大きさ（内法）を８１０ｍｍ＊６１０ｍｍ＊３５０ｍｍ（キャスター高さ含む）とし、固定天板部（５０）、可動天板部（５１）をそれぞれ６７５ｍｍ＊１７８０ｍｍ（板厚２５ｍｍ）、４００ｍｍ＊１７８０ｍｍ（板厚２５ｍｍ）の大きさとしている。固定天板部（５１）は、床面から４２５ｍｍの高さに固設されている。
【００３１】
以上、本実施例によれば、旅行準備のための専用の居室が、旅行準備室（１）として配置されるため、旅行のための荷物やカタログ、パンフレット等を広げっぱなしにできるスペースを住宅内に提供することが可能となるとともに、旅行準備室（１）の床は畳敷であるため、衣類等を直接置くことができて便利である。また、旅行準備室（１）には、作り付けの机（３０）が造設され、インターネット接続環境も整えられているため、パソコンを使用して旅行のための情報収集を行うのに最適である。
【００３２】
旅行準備室（１）に付属の納戸（２）の上がりホール部分（３）には、図５に示すごとくの収納棚（３１）が設置されるため、普段は使用しないスーツケース等の旅行用品をすっきりと収納できるとともに、荷造り時には、スーツケースを２個開けっ放しで、しかも立ったまま作業を行うことができ便利である。収納ワゴン（５２）によって、可動天板部（５１）を水平支持するものであるため、限られたスペースを無駄無く活用でき、スーツケース（５７）等の重い荷物を載せることも可能となる。
また、上がりホール部分（３）は、旅行準備室（１）を挟んで、リビングダイニング（８）と連通しているため、思い立ったときにいつでも旅行準備を行うことができる。
さらに上がりホール部分（３）は、土間部分（４）と連接して設けられるため、荷造りし終わったスーツケースは、非常に短い距離の移動で土間部分（４）におろすことができる。土間部分（４）と玄関土間（５）とは連通しているため、荷造りを終えたスーツケースは、旅行出発のときまで土間部分（４）に一時保管しておくことができる。
【実施例３】
【００３３】
本発明の第３の実施例を図３を参照しながら説明する。図３は本実施例に係る平面図である。
本実施例に係る住宅は平屋建てであり、図３に示すように、住宅内に旅行準備室（１）及び納戸（２）が配置されたものである。
【００３４】
旅行準備室（１）は、納戸（２）及び寝室（１０）に隣接して設けられ、納戸（２）は玄関土間（５）と連通して配置されている。納戸（２）は、上がりホール部分（３）と土間部分（４）とから構成されている。
玄関土間（５）から一段上がった玄関ホール（６）は、正面の廊下（７）に向かって縦長状に延設され、左右の壁面に沿っては旅先での土産品や写真等を展示可能な棚（３３）が設けられている。廊下（７）は、リビングダイニング（８）、及び寝室（１０）とそれぞれ連通している。
【００３５】
旅行準備室（１）は、寝室（１０）に同じ高さで連続しており、引戸などの建具も介在していない。旅行準備室（１）は、畳コーナーとして畳敷きとされており、部屋の一角には、第1の実施例同様、作り付けの机（３０）が造設されている。
寝室（１０）には、衣類を収納するためのウォークイン形式のクロゼット（１１）が設けられている。
【００３６】
本実施例では、納戸の上がりホール部分（３）、土間部分（４）はそれぞれ２．２帖の広さを有しており、実施例２と同様な収納棚（３１）（３２）がそれぞれ設けられている。上がりホール部分（３）、土間部分（４）は、それぞれ引戸（２０）、開き戸（２２ａ）を介して旅行準備室（１）、玄関土間（５）とそれぞれ連通している。上がりホール部分（３）と土間部分（４）の間には建具は設けられていない。
【００３７】
以上、本実施例によれば、旅行準備室（１）が畳コーナーとして寝室（１０）と一体的に構成され、寝室（１０）には衣類を収納可能なクローゼット（１１）が設けられているため、旅行に持っていく衣類を準備するための動線が非常に短くて済む。
また、時間が無くて旅行前夜に準備を行うような場合であっても、寝室（１０）にきわめて近い場所で準備を行うことができるとともに、衣類等をスーツケースに詰め終えた後、そのまま納戸の土間部分（４）にスーツケースをおろしておけば、翌朝の旅行出発が非常にスムーズとなる。
【００３８】
さらに、玄関ホール（６）が正面の廊下（７）に向かって縦長状に形成され、左右の壁面に沿って展示用の棚（３３）が設けられているため、旅行先での土産品や写真等を飾るための十分なスペースを提供することが可能となる。このようにして、玄関ホール（６）に土産品等を展示することで、来客はあたかもギャラリーを訪れたような気分を味わうことが可能となる。
【実施例４】
【００３９】
本発明の第４の実施例を図４を参照しながら説明する。図４は本実施例に係る平面図である。
本実施例に係る住宅は平屋建てであり、図４に示すように、住宅内に旅行準備室（１）、納戸（２）、及び中庭（１４）が配置されたものである。
【００４０】
旅行準備室（１）は納戸（２）に隣接して設けられるが、本実施例では、納戸（２）が屋外空間と直接に連通して配置されるものである。納戸（２）は、上がりホール部分（３）と土間部分（４）とから構成されている。
玄関土間（５）から一段上がった玄関ホール（６）は、左右の廊下（７ａ）（７ｂ）を介して、主寝室（１０）、洗面所（１２）、及び旅行準備室（１）、リビングダイニング（８）とそれぞれ連通している。玄関ホール（６）の正面の壁面には、旅先での土産品や写真等を展示可能な棚（３３）が設けられている。玄関ホール（６）と連続したスペースの一角には、展示された土産品等を眺めながら少人数でお茶を飲んだり休憩することができるようにティーテーブル（３５）と椅子（３６）が設置され、廊下（７ｂ）とは格子状のパーテーション（３７）で仕切られている。
【００４１】
納戸の上がりホール部分（３）は１．８帖の広さを有し、旅行準備室（１）、キッチン（９）と連通している。壁面に沿って、第２の実施例（図５）で示したごとくの収納棚（３１）が造設されるが、本実施例では収納棚（３１）を特に旅先の土産品（ワインやソーセージ等の食材）を保管するパントリーとして機能させている。
【００４２】
納戸の土間部分（４）は２．４帖の広さを有しており、掃き出しのガラスサッシ（２５）、及び勝手口（２４）を介して、それぞれ中庭（１４）、屋外空間と連通している。
中庭（１４）の四方には、開閉自在なガラスサッシ（２５）（２６）（２７）（２８）が設けられており、土間部分（４）、主寝室（１０）、玄関ホール（６）、旅行準備室（１）にそれぞれ光や外気を中庭（１４）から取り込むことができるようになっている。
また、中庭（１４）には水栓設備が設けられており、旅行で使ったダイビング用品、キャンプ用品などのアウトドア用品、旅先の雨で濡れた服などを、手入れしたり、洗浄・乾燥させることができるようになっている。
【００４３】
以上、本実施例によれば、住宅内に中庭（１４）が配置され、納戸の土間部分（４）を挟んで、屋外空間と連通しているため、旅行から帰宅した際に、荷物を持って勝手口（２４）から入ることができ、旅行で使用したアウトドア用品や、旅先の雨で濡れた服などを、非常に短い動線で中庭（１４）に持っていき手入れ等することが可能となる。
【００４４】
また、納戸（２）には、パントリーとしての収納棚（３１）が備えられているため、旅先で購入した食材等を即座に収納できるとともに、納戸（２）とキッチン（９）とは、引戸（２３ａ）を介して連通して配置されているため、料理を行うときに非常に短い動線でパントリーに収納された食材等を取出すことが可能となる。
【産業上の利用可能性】
【００４５】
本発明は、旅行を趣味としながら、従来の住宅に満足できなかった者や、子供が巣立って夫婦二人暮しとなった中高年齢層等に対して、住宅の新築・建替えを喚起するものであり、産業上の利用可能性を有する。
【図面の簡単な説明】
【００４６】
【図１】第１の実施例に係る平面図である。
【図２】第２の実施例に係る平面図である。
【図３】第３の実施例に係る平面図である。
【図４】第４の実施例に係る平面図である。
【図５】（ａ）収納棚の断面図（収納時）である。            （ｂ）収納棚の断面図（荷造時）である。          （ｃ）収納棚の正面図（荷造時）である。
【符号の説明】
【００４７】
１  旅行準備室
２  納戸
３  上がりホール部分
４  土間部分
５  玄関土間
５ａ  ギャラリー
６  玄関ホール
７  廊下
７ａ  廊下
７ｂ  廊下
８  リビングダイニング
８ａ  リビング
８ｂ  ダイニング
９  キッチン
１０  主寝室
１１  クロゼット
１２  寝室
１３  洗面所
１４  中庭
１５  ライブラリー
１６  ピロティ
２１  引戸
２２  引戸
２２ａ  開き戸
２３  引戸
２３ａ  引戸
２４  勝手口
２５  ガラスサッシ
２６  ガラスサッシ
２７  ガラスサッシ
２８  ガラスサッシ
３０  机
３１  収納棚
３２  収納棚
３３  棚
３４  棚
３５  テーブル
３６  椅子
３７  パーテーション
５０  固定天板部
５１  可動天板部
５２  収納ワゴン
５３  キャスター
５４  金具
５５  木桟
５６  内部空間
５７  スーツケース
【図５】
2005344297.tif 000003
【図１】
2005344297.tif 000004
【図２】
2005344297.tif 000005
【図３】
2005344297.tif 000006
【図４】
2005344297.tif 000007